(57)【要約】【課題】泡消火薬剤により生成される泡の消火性能を向上させ、環境に配慮した泡消火薬剤を用いた泡消火設備を提供する。【解決手段】防護領域Ｓに設けられた泡消火薬剤を放出するための泡放出手段２と、該泡放出手段２が接続された配管７，１０と、該配管７，１０に消火用水Ｗを供給する加圧手段３と、該消火用水Ｗと界面活性剤を含有する泡原液Ｆとを混合して該泡消火薬剤とする混合器８とを備える泡消火設備１において、該泡消火薬剤は、チキソトロピー性を有する。又、前記泡消火薬剤は、コロイド性含水ケイ酸塩を含有することができる。【選択図】図１
2014008309.tif 000002
【特許請求の範囲】
【請求項１】
防護領域に設けられた泡消火薬剤を放出するための泡放出手段と、該泡放出手段が接続された配管と、該配管に消火用水を供給する加圧手段と、該消火用水と界面活性剤を含有する泡原液とを混合して該泡消火薬剤とする混合器とを備える泡消火設備において、
該泡消火薬剤は、チキソトロピー性を有することを特徴とする泡消火設備。
【請求項２】
前記泡消火薬剤は、コロイド性含水ケイ酸塩を含有することを特徴とする請求項１に記載の泡消火設備。
【請求項３】
前記界面活性剤は、構造中にフッ素を含まない界面活性剤であることを特徴とする請求項１又は２に記載の泡消火設備。
【発明の詳細な説明】
【技術分野】
【０００１】
本発明は、泡消火設備に関し、より詳細には、チキソトロピー性を有する泡消火薬剤を用いた泡消火設備に関する。
【背景技術】
【０００２】
従来、泡消火設備に用いられる泡消火薬剤として、構造中にフッ素を含んだ界面活性剤（以下、フッ素系界面活性剤という）や構造中にフッ素を含まない界面活性剤（以下、非フッ素系界面活性剤という）が知られている（例えば、特許文献１を参照）。
【先行技術文献】
【特許文献】
【０００３】
【特許文献１】特開平４−３３７３９７号公報
【発明の概要】
【発明が解決しようとする課題】
【０００４】
しかしながら、フッ素系界面活性剤を用いた泡消火薬剤は、消火性能に優れるものの、フッ素系界面活性剤が自然環境中で分解し難いため環境への負荷が大きい等、環境の観点から問題を有していた。対して、非フッ素系界面活性剤を用いた泡消火薬剤は、非フッ素系界面活性剤が自然環境中で分解され易いため環境への負荷が小さいものの、生成した泡の耐熱性が低く、常温時と比較して、熱を受けた時の泡の還元も非常に早くなり、消火性能の観点から問題を有していた。
【０００５】
そこで、本発明は、泡消火薬剤により生成される泡の消火性能を向上させ、環境に配慮した泡消火薬剤を用いた泡消火設備を提供することを目的とする。
【課題を解決するための手段】
【０００６】
本発明は、防護領域に設けられた泡消火薬剤を放出するための泡放出手段と、該泡放出手段が接続された配管と、該配管に消火用水を供給する加圧手段と、該消火用水と界面活性剤を含有する泡原液とを混合して該泡消火薬剤とする混合器とを備える泡消火設備において、該泡消火薬剤は、チキソトロピー性を有することを特徴とする泡消火設備である。
【０００７】
又、本発明は、前記泡消火薬剤は、コロイド性含水ケイ酸塩を含有することを特徴とする泡消火設備である。又、本発明は、前記界面活性剤は、構造中にフッ素を含まない界面活性剤であることを特徴とする泡消火設備である。
【発明の効果】
【０００８】
本発明は、泡消火薬剤にチキソトロピー性を持たせたため、熱を受けた時の泡の還元を従来例と比べて遅くすることができるので、泡消火薬剤の消火性能を向上させることができる。このため、フッ素系界面活性剤を用いた泡消火薬剤においては、フッ素系界面活性剤の使用量を低減させることができ、非フッ素系界面活性剤を用いた泡消火薬剤においては、所望する消火性能を得ることができる。従って、環境に配慮した泡消火薬剤を用いた泡消火設備を提供することができる。
【図面の簡単な説明】
【０００９】
【図１】本発明の実施形態を示す図であり、泡消火設備の系統図である。
【発明を実施するための形態】
【００１０】
本発明の実施形態を泡ヘッドが設けられた低膨張泡消火設備を例にして図１に基づき説明する。先ず、泡消火設備１の構成について説明する。
【００１１】
泡消火設備１は、泡放出手段としての泡ヘッド２及び加圧手段としてのポンプ３、泡原液タンク４、薬剤タンク５及び消火用水タンク６備える。泡ヘッド２は、発泡網２ａを有すると共に防護領域Ｓ内に設けられ、泡ヘッド配管７に接続されている。泡ヘッド配管７は一端が混合器８に接続され、他端が末端試験弁９に接続されている。
【００１２】
消火用水タンク６は、消火用水Ｗを貯蔵するためのタンクであり、２つの配管１０ａ，１０ｂがポンプ３によって連通される消火用水配管１０を介して混合器８と接続されている。
【００１３】
ポンプ３は、消火用水タンク６に貯留されている消火用水Ｗを、消火用水配管１０を介して混合器８に供給すると共に、後述する様に調整された泡消火薬剤が泡ヘッド配管７内でゲル化することを防止するための加圧手段として設けられる。又、ポンプ３は、防護領域Ｓ内に設けられた火災感知器１４と接続された防災盤１３によって制御される。
【００１４】
泡原液タンク４は、泡原液Ｆを貯蔵するためのタンクであり、泡原液配管１１によって混合器８と接続されている。泡原液Ｆは、消火用水Ｗと混合して泡消火薬剤を調整するために用いられ、フッ素系界面活性剤又は非フッ素系界面活性剤を含有している。
【００１５】
薬剤タンク５には、泡消火薬剤にチキソトロピー性（揺変性）を与える物質（以下、揺変剤Ｔという）が貯蔵される。又、薬剤タンク５は、薬剤配管１２を介して混合器８に接続されている。ここで、チキソトロピー性とは、「単に掻き混ぜたり振り混ぜたりすることによってゲルが流動性のゾルに変わり、これを放置しておくとふたたびゲルにもどる性質」をいう（岩波理化学辞典第４版、岩波書店発行、より引用）。
【００１６】
揺変剤Ｔとしては、スメクタイト、ベントナイト及びモンモリロナイト等のコロイド性含水ケイ酸塩を含有する鉱物や当該ケイ酸塩からなる合成無機高分子化合物等が挙げられる。
【００１７】
混合器８は、泡原液配管１１を介して供給された泡原液Ｆ、消火用水配管１０を介して供給された消火用水Ｗ及び薬剤配管１２を介して供給された揺変剤Ｔを混合し、チキソトロピー性を有する泡消火薬剤を調整し、泡消火薬剤を泡ヘッド配管７に供給するために設けられる。
【００１８】
泡原液Ｆ、揺変剤Ｔ及び消火用水Ｗの混合比率は、求められる泡消火薬剤の性能に応じて、消火薬剤にチキソトロピー性が発現する範囲内で適宜調整される。ここで、泡消火薬剤は、揺変剤Ｔの混合量が多くなればなるほど放出された泡の強度が増加するが、泡が堅く為りすぎて泡の展開速度が低下し、所望する発泡倍率や展開速度を得ることができなくなるため、所望する発泡倍率や展開速度が得られる量を上限として混合される。
【００１９】
次に、泡消火設備１の動作について説明する。防護領域Ｓ内で火災が発生すると、火災感知器１４が防護領域Ｓ内の火災を感知し、火災信号を防災盤１３に送信する。防災盤１３は、火災信号を受信すると、ポンプ３に起動信号を送信する。ポンプ３は、起動信号を受信すると起動し、消火用水タンク５に貯留されている消火用水Ｗを混合器８へと供給する。
【００２０】
混合器８に消火用水Ｗが供給されることによって、泡原液タンク４内の泡原液Ｆ及び薬剤タンク５内の揺変剤Ｔが混合器８へと供給され、ゾル状の泡消火薬剤（泡水溶液）が調整される。そして、泡消火薬剤は、ポンプ３の加圧によってゾル状態のまま、泡ヘッド配管７を介して泡ヘッド２へと供給される。
【００２１】
その後、泡ヘッド２に供給された泡消火薬剤は、泡ヘッド２の発泡網２ａによって発泡され、泡となって防護領域Ｓへと放出され、堆積していく。堆積した泡は、謂わば、静止状態であるため泡消火薬剤のチキソトロピー性によって、ゾル状態からゲル状態へと変化し、それに伴いその強度も増加していく。そして、防護領域Ｓ内で発生した火災は、当該泡が堆積することで窒息消火される。尚、揺変剤Ｔが上記ケイ酸塩を含有するものである場合は、耐熱性の高いケイ酸塩成分によって、耐熱性の高い泡を堆積させることができ、これにより、周囲の火によって泡が壊れ難くなることから、再着火し難くなるので、より少ない泡量で消火することができる。
【００２２】
以上、本発明を上記実施形態で説明したが、発明の要旨を変更しない範囲で適宜変更が可能である。例えば、泡放出手段として高膨張泡消火器を備える泡消火設備に適用することも可能である。又、泡ヘッド２等の数は適宜変更することが可能である。
【符号の説明】
【００２３】
１    泡消火設備              ２    泡ヘッド                ２ａ  発泡網
３    ポンプ                  ４    泡原液タンク            ５    薬剤タンク
６    消火用水タンク          ７    泡ヘッド配管            ８    混合器
９    末端試験弁              １０  消火用水配管            １１  泡原液配管
１２  薬剤配管                １３  防災盤                  １４  火災感知器
Ｆ    泡原液                  Ｓ    防護領域                Ｔ    揺変剤
Ｗ    消火用水
【図１】
2014008309.tif 000003